【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
血液サンプルから血液検体濃度を測定するシステムであって、当該システムは、
ａ．前記検体を測定するために前記血液サンプルを受け入れる開口と、前記測定を実行する少なくとも２つの使い捨て電気接点と、を有する使い捨てハウジングであって、１つの刺し通し要素と、前記献体の血中濃度を測定する１つの測定要素と、測定領域に当該ハウジングを取り付ける連結機構と、を有する使い捨てハウジングと、
ｂ．少なくとも２つの前記使い捨て電気接点に対応した少なくとも２つの再使用可能電気接点を有する再使用可能ハウジングであって、電源と、コントローラと、トランスポンダと、前記測定を実行して通信する少なくとも１つの機械的アクチュエータと、を有する再使用可能部分と、を有する再使用可能ハウジングと、を備え、
ｃ．前記再使用可能ハウジングは、少なくとも２つの対応の前記再使用可能電気接点及び少なくとも２つの前記使い捨て電気接点上で前記使い捨てハウジングに連結されており、前記少なくとも１つの機械的アクチュエータは、１つの前記皮膚刺し通し要素及び１つの前記測定要素に連結されて、１つの前記皮膚刺し通し要素及び１つの前記測定要素を操作し、
ｄ．トリガ信号を受けると、前記少なくとも１つの機械的アクチュエータが前記１つの皮膚刺し通し要素を操作して皮膚を刺し通させ、その所定期間後に少なくとも１つの機械的アクチュエータが前記１つの測定要素の移動を刺し通し領域の第１の場所から当該刺し通し領域の第２の場所へと操作し、これにより前記測定要素の開口が前記刺し通し領域を拭って前記刺し通し領域から出た血液がサンプルされ、
ｅ．これにより前記再使用可能ハウジング内の前記血液サンプルにおける前記検体の濃度の測定、及び、前記遠隔コントローラへの前記測定の通信を始動させ、
ｆ．前記遠隔コントローラは、前記測定を受け取ってその前記測定を前記血液検体の濃度の形態で表示することにさらに適していることを特徴とするシステム。
【請求項２】
請求項１に記載のシステムにおいて、前記所定期間は、血液が前記刺し通し領域に溜まって血液溜まり領域を形成しうる期間であることを特徴とするシステム。
【請求項３】
請求項２に記載のシステムにおいて、前記所定期間は、血液が前記血液溜まり領域に溜まるのが可能な予め定められた期間であることを特徴とするシステム。
【請求項４】
請求項２に記載のシステムは、前記所定期間は、光学素子を用いて、前記血液溜まり領域内に溜まった血液量を測定して決定されることを特徴とするシステム。
【請求項５】
請求項２に記載のシステムにおいて、前記刺し通し要素は、皮膚の真皮層のみを刺し通すように適合していることを特徴とするシステム。
【請求項６】
請求項２に記載のシステムにおいて、前記ハウジングはさらに、血液の抽出を促進するための少なくとも１つの組織処置要素を備え、当該処置要素は、電気エネルギー、超音波エネルギー、光エネルギー、音波エネルギー、血管拡張薬、加えられた熱、マッサージ、及び、機械的エネルギーから構成される群から選択されることを特徴とするシステム。
【請求項７】
請求項６に記載のシステムにおいて、遠隔コントローラが、前記使い捨て及び再使用可能なハウジングの１より多い組み合わせを制御するために適合していることを特徴とするシステム。
【請求項８】
請求項７に記載の装置において、前記遠隔コントローラは、前記測定を第２の遠隔コントローラに通信可能であることを特徴とするシステム。
【請求項９】
請求項７に記載のシステムにおいて、前記遠隔コントローラは、携帯電話機であることを特徴とするシステム。
【請求項１０】
請求項７に記載のシステムがさらに、前記測定の濃度が特定範囲の外である場合にアラームを出すよう適合していることを特徴とするシステム。
【請求項１１】
血液サンプルから血液検体濃度を測定する装置であって、
ａ．前記検体を測定するために前記血液サンプルを受け入れる開口と、前記測定を実行する少なくとも２つの使い捨て電気接点と、を有する使い捨てハウジングであって、１つの皮膚刺し通し要素と、前記献体の血中濃度を測定する１つの測定要素と、測定領域に当該ハウジングを取り付ける連結機構と、前記ハウジングを測定領域の上に取り付ける結合機構とを備える使い捨てハウジングと、
ｂ．少なくとも２つの前記使い捨て電気接点に対応した少なくとも２つの再使用可能電気接点を有する再使用可能ハウジングであって、電源と、コントローラと、トランスポンダと、前記測定を実行して通信する少なくとも１つの機械的アクチュエータと、を有する再使用可能部分と、を有する再使用可能ハウジングと、
ｃ．血液の抽出を促進する少なくとも１つの組織処置要素と、を備え、
ｄ．前記再使用可能ハウジングは、少なくとも２つの対応の前記再使用可能電気接点及び少なくとも２つの対応する前記使い捨て電気接点上で前記使い捨てハウジングに連結されており、前記少なくとも１つの機械的アクチュエータは、１つの前記皮膚刺し通し要素及び１つの前記測定要素に連結されてこれらを操作し、
ｅ．トリガ信号を受けると、前記処置要素が、治療領域に近い組織ボリュームにおける血液潅流を促進すべく皮膚に治療を施し、
ｆ．治療を施して所定期間後に、少なくとも１つの機械的アクチュエータが前記１つの皮膚刺し通し要素の動作を操作して、血液潅流の促進した前記治療領域の皮膚を刺し通させ、これにより前記測定要素の開口に前記刺し通した皮膚から流れる血液が集まりサンプリング用の血液が溜まり、
ｇ．これにより前記再使用可能ハウジング内に溜まった前記血液サンプルにおける前記検体の濃度の測定、及び、前記遠隔コントローラへの前記測定の通信を始動させ、
ｈ．前記遠隔コントローラは、前記測定を受け取ってその前記測定を前記血液検体の濃度の形態で表示することにさらに適していることを特徴とする装置。
【請求項１２】
請求項１１に記載の装置において、前記処置要素は、電気エネルギー、超音波エネルギー、光エネルギー、音波エネルギー、血管拡張薬、加えられた熱、マッサージ、及び、機械的エネルギーから構成される群から選択されることを特徴とする装置。
【請求項１３】
請求項１１に記載の装置において、前記使い捨てハウジングは、溜まった血液を閉じ込めるべく測定領域に取り付けられるキャビティを備え、トリガ信号を受けたら、前記少なくとも１の機械的アクチュエータが前記１つの皮膚刺し通し要素の動作を操作して皮膚を刺し通させ、前記結合機構により前記測定領域の上に、血液が前記キャビティ内に集まるように前記結合機構が前記刺し通し領域の皮膚をはさむように前記処置が加えられ、前記少なくとも１つの機械的アクチュエータは前記測定要素を前記キャビティへ移動するよう操作して、前記刺し通した皮膚から流れる血液が前記開口に集まるようにすることを特徴とする装置。
【請求項１４】
請求項１２または１３に記載の装置において、前記刺し通し要素は、皮膚の真皮層のみを刺し通すように適合していることを特徴とする装置。
【請求項１５】
請求項１に記載の装置において、前記使い捨てハウジングは円筒形状で、指に嵌りうる開口を有し、トリガ信号により前記少なくとも１つの機械的アクチュエータが前記１つの皮膚刺し通し要素の動作を前記指の皮膚面に刺すよう操作し、所定期間経過後、少なくとも１つの機械的アクチュエータが前記１つの測定要素の動作を操作して、前記測定要素の開口に前記指の皮膚からのサンプルされた溜まった血液が集まるようにすることを特徴とする装置。